(57)【要約】【課題】  放熱性能が改善されたプラズマ表示装置の組立体を提供すること。【解決手段】  パネル組立体と、これを支持するシャーシベースと、シャーシベースに結合される回路基板と、パネル組立体と回路基板に両端が接続するフレキシブルプリントケーブルと、フレキシブルプリントケーブルのＩＣが付着されたシャーシベースに設置され、ＩＣから発生する熱を外部に放出させる放熱手段と、を含む放熱性能が改善されたプラズマ表示装置の組立体が提供される。フレキシブルプリントケーブルのＩＣと対応するシャーシベースの端部に放熱手段が設置されることによって、駆動時にＩＣから発生する熱を迅速に外部に排出しうる。これにより、ＩＣの作動温度が適正に維持されてＩＣの信頼度を向上させうる。【選択図】  図３
2005165284.tif 000002
【特許請求の範囲】
【請求項１】
パネル組立体と、
前記パネル組立体を支持するシャーシベースと、
前記シャーシベースに結合される回路基板と、
前記パネル組立体の各電極端子と回路基板のコネクタに両端が接続し、これらの電気的信号を伝達するフレキシブルプリントケーブルと、
前記フレキシブルプリントケーブルのＩＣが付着されたシャーシベースに設置され、前記ＩＣから発生する熱を外部に放出させる放熱手段と、
を含むことを特徴とする放熱性能が改善されたプラズマ表示装置の組立体。
【請求項２】
前記放熱手段は、前記ＩＣが付着されたシャーシベースの一面の反対面に付着されたことを特徴とする、請求項１に記載の放熱性能が改善されたプラズマ表示装置の組立体。
【請求項３】
前記放熱手段は、前記シャーシベースと一体に形成されたことを特徴とする、請求項１に記載の放熱性能が改善されたプラズマ表示装置の組立体。
【請求項４】
前記放熱手段は、シャーシベースの上下端のうち少なくとも何れか一つに設置されたことを特徴とする、請求項１に記載の放熱性能が改善されたプラズマ表示装置の組立体。
【請求項５】
前記放熱手段は、ヒートシンクであることを特徴とする、請求項１に記載の放熱性能が改善されたプラズマ表示装置の組立体。
【請求項６】
前記放熱手段は、放熱パッドであることを特徴とする、請求項１に記載の放熱性能が改善されたプラズマ表示装置の組立体。
【請求項７】
前記フレキシブルプリントケーブルの外部にはこれを保護するためにカバープレートがさらに設置され、
前記ＩＣは、シャーシベースとカバープレートとの間に配置されたことを特徴とする、請求項１に記載の放熱性能が改善されたプラズマ表示装置の組立体。
【請求項８】
前記放熱手段は、パネル組立体、シャーシベース及びカバープレートの結合により形成された空間でＩＣが付着されたシャーシベースの反対面に設置されたことを特徴とする、請求項７に記載の放熱性能が改善されたプラズマ表示装置の組立体。
【請求項９】
前記シャーシベースとＩＣとの間にはサーマルグリースが介在し、ＩＣとカバープレートとの間にはサーマルパッドが介在したことを特徴とする、請求項７に記載の放熱性能が改善されたプラズマ表示装置の組立体。
【請求項１０】
前記放熱手段は、ＩＣが設置されたシャーシベースの対応する部分に選択的に付着されたことを特徴とする、請求項１に記載の放熱性能が改善されたプラズマ表示装置の組立体。
【請求項１１】
前記放熱手段は、シャーシベースの長手方向に沿って付着されたことを特徴とする、請求項１に記載の放熱性能が改善されたプラズマ表示装置の組立体。
【発明の詳細な説明】
【技術分野】
【０００１】
本発明は、プラズマ表示装置の組立体に係り、より詳細には、駆動時にＩＣから発生する熱を効果的に放出しうる放熱性能が改善されたプラズマ表示装置の組立体に関する。
【背景技術】
【０００２】
通常、プラズマ表示装置の組立体は、複数の基板の対向面にそれぞれの電極を形成し、その間の空間に放電ガスを注入した状態で所定の電源を印加して放電空間に発生する紫外線によって発光した光を用いて画像を具現する平板表示装置をいう。
【０００３】
プラズマ表示装置の組立体は、前面及び背面パネルをそれぞれ製造してこれらを結合し、パネル組立体の後方にシャーシベースを組立て、シャーシベースの後方に回路基板を結合し、これらをケース内に装着することによって完成する。
【０００４】
図１を参照すれば、従来のプラズマ表示装置の組立体１０は、前面パネル１１と、前記前面パネル１１と結合されてパネル組立体１３をなす背面パネル１２と、前記パネル組立体１３の後方に接着部材１４によって結合されるシャーシベース１５と、前記シャーシベース１５の上下端部に設置されるカバープレート１６と、前記シャーシベース１５とカバープレート１６との間に介在されるフレキシブルプリントケーブル１７と、を含んでいる。
【０００５】
駆動時、パネル組立体１３から発生した熱は、接着と熱伝導媒体の役割を同時に行う接着部材１４を介してシャーシベース１５を通じて外部に排出される。
【０００６】
この時、熱は前記パネル組立体１３のみならずフレキシブルプリントケーブル１７のＩＣ１７ａからも発生する。このようなＩＣ１７ａから発生する熱はシャーシベース１５とカバープレート１６を通じて外部に放出される。
【０００７】
ところが、前記フレキシブルプリントケーブル１７が配置された空間Ｓは、シャーシベース１５とカバープレート１６とによって囲まれているので、この空間Ｓ内に配置されたＩＣ１７ａから発生した熱の外部への排出には限界がある。このように、放熱効率が低下すれば、ＩＣ１７ａに適正温度以上の熱が発生し続けてＩＣ１７ａの損傷による誤作動のおそれがある。
【発明の開示】
【発明が解決しようとする課題】
【０００８】
本発明は上記問題点を解決するためのものであって、本発明の目的は、フレキシブルプリントケーブルのＩＣから発生した熱が効率的に外部に排出できるようにＩＣが配置された空間内に放熱手段が設けられた放熱性能が改善されたプラズマ表示装置の組立体を提供することである。
【課題を解決するための手段】
【０００９】
前記目的を達成するために、本発明の一側面による放熱性能が改善されたプラズマ表示装置の組立体は、パネル組立体と、前記パネル組立体を支持するシャーシベースと、前記シャーシベースに結合される回路基板と、前記パネル組立体の各電極端子と回路基板のコネクタに両端が接続し、これらの電気的信号を伝達するフレキシブルプリントケーブルと、前記フレキシブルプリントケーブルのＩＣが付着されたシャーシベースに設置され、前記ＩＣから発生する熱を外部に放出させる放熱手段と、を含むことを特徴とする。
【００１０】
また、前記放熱手段は、前記ＩＣが付着されたシャーシベースの一面の反対面に付着されることを特徴とする。
【発明の効果】
【００１１】
本発明の放熱性能が改善されたプラズマ表示装置の組立体は、フレキシブルプリントケーブルのＩＣと対応するシャーシベースの端部に放熱手段が設置されることによって、駆動時にＩＣから発生する熱を迅速に外部に排出しうる。これにより、ＩＣの作動温度が適正に維持されてＩＣの信頼度を向上させることができる。
【発明を実施するための最良の形態】
【００１２】
以下、添付した図面に基づき、本発明の望ましい実施形態によるプラズマ表示装置の組立体を詳細に説明する。
【００１３】
図２は、本発明の第１実施形態によるプラズマ表示装置の組立体２００を示したものである。
【００１４】
図面を参照すれば、前記プラズマ表示装置の組立体２００は、パネル組立体２１０を含み、前記パネル組立体２１０は、前面パネル２１１と、前記前面パネル２１１と結合される背面パネル２１２とを含んでいる。
【００１５】
前記前面パネル２１１は、Ｘ及びＹ電極と、Ｘ及びＹ電極を埋め込む誘電体層と、誘電体層の表面にコーティングされる保護膜層とを含んでいる。前記背面パネル２１２は、前面パネル２１１と対向して設置され、アドレス電極と、アドレス電極を埋め込む誘電体層と、放電空間を限定する隔壁と、隔壁の内側にコーティングされた赤、緑、青色の蛍光体層とを含んでいる。
【００１６】
前記背面パネル２１２の後方にはシャーシベース２２０が配置されている。前記シャーシベース２２０は、接着部材(図３参照)２３０によってパネル組立体２１０と結合されている。前記接着部材２３０としては、両面テープ２３１と、前記パネル組立体２１０から発生する熱をシャーシベース２２０を介して排出できるように熱伝導媒体の役割をする放熱シート２３２と、を含む。
【００１７】
前記シャーシベース２２０の背面には回路基板２４０が設置されている。前記回路基板２４０には多数の電子部品２４１が実装されている。前記パネル組立体２１０と、回路基板２４０とにはフレキシブルプリントケーブル２５０が連結されている。前記フレキシブルプリントケーブル２５０の両端部は、パネル組立体２１０の各電極端子と回路基板２４０との間に接続し、これらの電気的信号を相互伝達している。
【００１８】
前記前面パネル２１１の前方にはフィルタ組立体２６０が設置されている。前記フィルタ組立体２６０は、前記パネル組立体２１０から発生する電磁波、赤外線、ネオン発光、及び外光の反射を遮断するために設置されている。
【００１９】
このために、前記フィルタ組立体２６０には透明な基板上に外光の反射による視認性低下を防止するための反射防止フィルムが付着され、パネル組立体２１０の駆動時に発生する電磁波を効果的に遮断するために電磁波遮蔽層が形成され、ネオン及び画面発光時に使われる不活性機体のプラズマによる近赤外線の不必要な発光を遮蔽するために選択波長吸収フィルムが設置されている。
【００２０】
前記パネル組立体２１０、シャーシベース２２０、フィルタ組立体２６０はケース２７０内に収容されている。前記ケース２７０は、前記フィルタ組立体２６０の前方に設置されたフロントキャビネット２７１と、前記シャーシベース２２０の後方に設置されたバックカバー２７２と、を含んでいる。前記バックカバー２７２の上下端には多数の通気孔２７３が形成されている。
【００２１】
一方、前記フィルタ組立体２６０の背面にはフィルタホルダー２８０が設置されている。前記フィルタホルダー２８０は、前記フロントキャビネット２７１に対してフィルタ組立体２６０をプレスするプレス部２８１と、前記プレス部２８１から後方に折り曲げられた固定部２８２を含んでいる。前記固定部２８２には多数の締結ホール２８３が形成されている。
【００２２】
そして、前記フロントキャビネット２７１の背面にはフィルタ装着部２９０が設置されている。前記フィルタ装着部２９０は、前記固定部２８２と対向して位置し、ねじ２８４による結合によって前記フロントキャビネット２７１に対してフィルタ組立体２６０を固定している。
【００２３】
本発明の特徴によれば、駆動時にフレキシブルプリントケーブル２５０のＩＣから発生する熱を外部に迅速に排出可能にシャーシベース２２０の上下端には少なくとも一つ以上の放熱手段３２０が設置されている。
【００２４】
より詳細には、図３に示されたようである。
【００２５】
ここで、前述した図面と同じ参照番号は同じ機能の同じ部材を示す。
【００２６】
図面を参照すれば、フィルタ組立体２６０、パネル組立体２１０、シャーシベース２２０が順次に配置された状態でケース２７０内に収容されている。
【００２７】
すなわち、フィルタ組立体２６０の前方にはフロントキャビネット２７１が設置され、シャーシベース２２０の後方にはバックカバー２７２が設置されており、前記フロントキャビネット２７１とバックカバー２７２が相互結合されて形成された内部空間にはフィルタ組立体２６０、パネル組立体２１０、シャーシベース２２０、及びその他の部品が収容されている。
【００２８】
前記背面パネル２１２の背面には両面テープ２３１と、放熱シート２３２によってシャーシベース２２０が付着されている。前記シャーシベース２２０は前記パネル組立体２１０の支持だけでなく、駆動時にパネル組立体２１０から発生する熱を放熱シート２３２を通じて伝達されて外部に放熱する役割を果たす。このようなシャーシベース２２０の上下端２２１は強度を補強するために所定角度、例えば“Ｌ”字状に折り曲げられている。
【００２９】
前記シャーシベース２２０の上下端２２１にはパネル組立体２１０の各端子と、回路基板(図２参照)２４０との電気的信号を伝達するためにフレキシブルプリントケーブル２５０と、が位置している。
【００３０】
前記フレキシブルプリントケーブル２５０は、ＩＣ２５１と、前記ＩＣ２５１と連結された配線が埋め込まれた可撓性のフィルム２５２と、を含んでいる。前記フィルム２５２の一端はパネル組立体２１０の各電極端子と連結され、他端は回路基板２４０のコネクタと連結されている。
【００３１】
前記フレキシブルプリントケーブル２５０は、シャーシベース２２０の上下端２２１の外側に沿って曲げられている。このようなフレキシブルプリントケーブル２５０の外部にはＩＣ２５１の破損を防止するためにカバープレート３１０が設置されている。
【００３２】
前記カバープレート３１０は略“Ｌ”字状に折り曲げられたフレームであって、前記フレキシブルプリントケーブル２５０を内部に収容しつつシャーシベース２２０に結合された構造である。このようなカバープレート３１０は、前記シャーシベース２２０の水平方向や垂直方向に少なくとも一つ以上設置されており、前記フレキシブルプリントケーブル２５０を収容する形状であれば、その形状には特別な制限がない。また、前記カバープレート３１０は、フレキシブルプリントケーブル２５０を保護し、ＩＣ２５１を固定しうる形状であれば、前述した実施形態ようにフレームで製造されるもの以外に磁力や両面テープで固定させても良く、特定の一つに限定されない。
【００３３】
この時、前記ＩＣ２５１とシャーシベース２２０との間には熱抵抗を減らすためにサーマルグリース(ｔｈｅｒｍａｌ  ｇｒｅａｓｅ)３３２が介在されている。また、前記ＩＣ２５１とカバープレート３１０との間にはサーマルパッド(ｔｈｅｒｍａｌ  ｐａｄ)３３１が介在されている。
【００３４】
ここで、パネル組立体２１０、シャーシベース２２０、カバープレート３１０の結合により形成された空間Ｓには放熱手段、例えばヒートシンク３２０が設置されている。前記ヒートシンク３２０は、前記シャーシベース２２０の端部２２１の内面に付着されており、前記空間Ｓに沿って少なくとも一つ以上配置されている。
【００３５】
このようなヒートシンク３２０は、ＩＣ３３１が配置されたシャーシベース２２０の端部２２１の反対側に個別的に複数設置されても良く、前記シャーシベース２２０の長手方向に沿ってこれと一体に付着された一つの構造物であっても良い。
【００３６】
前記のような構成を有するプラズマ表示装置の組立体２００は、駆動時にパネル組立体２１０から発生する熱は放熱シート２３２を介してシャーシベース２２０を通じて放出される。
【００３７】
また、前記ＩＣ２５１から発生した熱はシャーシベース２２０を通じて１次排出され、これと同時にヒートシンク３２０を通じて排出しうる。
【００３８】
このように排出された熱はバックカバー２７２に形成された多数の通気孔２７３を通じて外部から流入する空気によって冷却され、対流現象によってケース２７０の下端から上端に流動して外部に排出される。
【００３９】
実際に、本出願人の実験によれば、前記ＩＣ２５１の安定的な作動のために要求される作動温度は８５℃以下であるが、前記ＩＣ２５１と対応するシャーシベース２２０の端部２２１にヒートシンク３２０が付着された場合にはこれより低い温度を維持し続けることを確認することができた。
【００４０】
図４は、本発明の第２実施形態による放熱手段を付着したプラズマ表示装置の組立体を示したものである。
【００４１】
図面を参照すれば、前記パネル組立体２１０と、シャーシベース２２０と、カバープレート３１０との結合によって形成された空間Ｓには放熱手段、例えば放熱パッド４２０が設置されている。
【００４２】
すなわち、前記放熱パッド４２０は、前記ＩＣ２５１が付着されたシャーシベース２２０の端部２２１の内面に付着されている。前記放熱パッド４２０は、前記ＩＣ２５１から発生する熱を迅速に伝達されうる素材、例えばシリコンゴムが望ましい。
【００４３】
ＩＣ２５１が設置されたシャーシベース２２０の端部２２１の反対面に前記放熱パッド４２０が設置されることによって、ＩＣ２５１から発生する熱はシャーシベース２２０を通じて排出されると同時に放熱パッド４２０を通じても排出可能である。
【００４４】
本発明を添付した図面に示す実施形態に基づいて説明してきたが、これは例示的なものに過ぎず、当業者ならばこれより多様な変形及び均等な他の実施形態を考えることが可能である。従って、本発明の真の技術的保護範囲は特許請求の範囲によってのみ決まるべきである。
【産業上の利用可能性】
【００４５】
本発明はＩＣと対応するシャーシベースにＩＣから発生する熱を外部に放出させる放熱手段が設置されるプラズマ表示装置の組立体を提供することによって、駆動時にＩＣから発生する熱を迅速に外部に排出しうる。
【図面の簡単な説明】
【００４６】
【図１】従来のプラズマ表示装置の組立体の一部を切断して示す断面図である。
【図２】本発明の第１実施形態によるプラズマ表示装置の組立体を示す分離斜視図である。
【図３】本発明の第１実施形態による放熱手段が設置された部分を示す断面図である。
【図４】本発明の第２実施形態による放熱手段が設置された部分を示す断面図である。
【符号の説明】
【００４７】
２００  組立体
２１０  パネル組立体
２１１  前面パネル
２１２  背面パネル
２２０  シャーシベース
２２１  上下端
２３０  接着部材
２３１  両面テープ
２３２  放熱シート
２４０  回路基板
２４１  電子部品
２５０  フレキシブルプリントケーブル
２５１  ＩＣ
２５２  フィルム
２６０  フィルタ組立体
２７１  フロントキャビネット
２７２  バックカバー
２７３  通気孔
２８０  フィルタホルダー
２８１  プレス部
２８２  固定部
２８３  締結ホール
２８４  ねじ
２９０  フィルタ装着部
３１０  カバープレート
３２０  ヒートシンク
３３１  サーマルパッド
３３２  サーマルグリース
４２０  放熱パッド
【図１】
2005165284.tif 000003
【図２】
2005165284.tif 000004
【図３】
2005165284.tif 000005
【図４】
2005165284.tif 000006